(57)【要約】      （修正有）【課題】第１基板と第２基板を互いに付着させて厚さを減少させた平板表示装置を提供する平板表示装置に関する。【解決手段】独立的に駆動が可能な有機電界発光素子が各々備えられた二つの基板を付着して同じ方向で発光させることによって別途の封止工程無しで開口率が向上した超薄型平板表示装置を具現することができ、且つ互いに異なる用途で使用することによって発光層の寿命低下によるイメージスティッキングを防止できる。【選択図】図４
2006310262.tif 000002
【特許請求の範囲】
【請求項１】
第１基板上に備えられた第１画素電極、少なくとも発光層を含む第１有機膜、及び、第１対向電極からなる第１有機電界発光表示素子と、前記第１有機電界発光表示素子に対応して付着されて第２基板上に備えられた第２画素電極、少なくとも発光層を含む第２有機膜、及び、第２対向電極からなる第２有機電界発光表示素子からなることを特徴とする、平板表示装置。
【請求項２】
前記第１有機電界発光表示素子と第２有機電界発光表示素子とは、前面発光有機電界発光表示素子であることを特徴とする、請求項１記載の平板表示装置。
【請求項３】
前記第１有機電界発光表示素子と第２有機電界発光表示素子とは、同じ方向で発光されることを特徴とする、請求項１記載の平板表示装置。
【請求項４】
前記第１有機電界発光表示素子と第２有機電界発光表示素子とは、アクティブマトリックス有機電界発光表示素子であることを特徴とする、請求項３記載の平板表示装置。
【請求項５】
前記第１有機電界発光表示素子は、前面発光有機電界発光表示素子であり、前記第２有機電界発光表示素子は、両面発光有機電界発光表示素子であることを特徴とする、請求項４記載の平板表示装置。
【請求項６】
前記第１有機電界発光表示素子は、アクティブマトリックス有機電界発光表示素子であり、前記第２有機電界発光表示素子は、パッシブマトリックス有機電界発光表示素子であることを特徴とする、請求項３記載の平板表示装置。
【請求項７】
前記第１有機電界発光表示素子は、前面発光有機電界発光表示素子であり、前記第２有機電界発光表示素子は、両面発光または背面発光有機電界発光表示素子であることを特徴とする、請求項６記載の平板表示装置。
【請求項８】
前記第１有機電界発光表示素子は、パッシブマトリックス有機電界発光表示素子であり、前記第２有機電界発光表示素子は、アクティブマトリックス有機電界発光表示素子であることを特徴とする、請求項３記載の平板表示装置。
【請求項９】
前記第１有機電界発光表示素子は、前面発光有機電界発光表示素子であり、前記第２有機電界発光表示素子は、両面発光有機電界発光表示素子であることを特徴とする、請求項８記載の平板表示装置。
【請求項１０】
前記第１有機電界発光表示素子と第２有機電界発光表示素子とは、パッシブマトリックス有機電界発光表示素子であることを特徴とする、請求項３記載の平板表示装置。
【請求項１１】
前記第１有機電界発光表示素子は、前面発光有機電界発光表示素子であり、前記第２有機電界発光表示素子は、両面発光または背面発光有機電界発光表示素子であることを特徴とする、請求項１０記載の平板表示装置。
【請求項１２】
前記第２有機電界発光表示素子の発光領域は、第１有機電界発光表示素子の非発光領域に備えられることを特徴とする、請求項１記載の平板表示装置。
【請求項１３】
前記第２有機電界発光表示素子の発光領域は、少なくとも第１有機電界発光表示素子の非発光領域の一部に備えられることを特徴とする、請求項１２記載の平板表示装置。
【請求項１４】
前記第１有機電界発光表示素子の発光領域と第２有機電界発光表示素子の発光領域とは、互いに重畳されないように備えられることを特徴とする、請求項１記載の平板表示装置。
【請求項１５】
前記第１有機電界発光表示素子と第２有機電界発光表示素子のいずれかは、フルカラー有機電界発光表示素子からなることを特徴とする、請求項１記載の平板表示装置。
【請求項１６】
前記第１対向電極及び第２対向電極上に保護膜をさらに備えることを特徴とする、請求項１記載の平板表示装置。
【請求項１７】
前記第１有機電界発光表示素子と第２有機電界発光表示素子とは、独立的に駆動されることを特徴とする、請求項１記載の平板表示装置。
【請求項１８】
第１基板上に備えられた第１画素電極と、
前記第１画素電極上に備えられた少なくとも発光層を含む第１有機膜と、
前記第１有機膜上に備えられた第１対向電極からなる第１有機電界発光表示素子と、
前記第１有機電界発光表示素子の第１対向電極に所定距離離隔されて備えられた第２対向電極と、
前記第２対向電極上に備えられた少なくとも発光層を含む第２有機膜と、
前記第２有機膜上に備えられた第２画素電極と、
前記第２画素電極上に備えられ、前記第１基板に接着剤により付着される第２基板からなる第２有機電界発光表示素子を含むことを特徴とする、平板表示装置。
【請求項１９】
前記第１有機電界発光表示素子と第２有機電界発光表示素子とは、アクティブマトリックス有機電界発光表示素子であることを特徴とする、請求項１８記載の平板表示装置。
【請求項２０】
前記第１有機電界発光表示素子は、前面発光有機電界発光表示素子であり、前記第２有機電界発光表示素子は、両面発光有機電界発光表示素子であることを特徴とする、請求項１８記載の平板表示装置。
【請求項２１】
前記第１有機電界発光表示素子と第２有機電界発光表示素子とは、前面発光有機電界発光表示素子であることを特徴とする、請求項１８記載の平板表示装置。
【請求項２２】
前記第１有機電界発光表示素子は、アクティブマトリックス有機電界発光表示素子であり、前記第２有機電界発光表示素子は、パッシブマトリックス有機電界発光表示素子であることを特徴とする、請求項１８記載の平板表示装置。
【請求項２３】
前記第１有機電界発光表示素子は、パッシブマトリックス有機電界発光表示素子であり、前記第２有機電界発光表示素子は、アクティブマトリックス有機電界発光表示素子であることを特徴とする、請求項１８記載の平板表示装置。
【請求項２４】
前記第１有機電界発光表示素子と第２有機電界発光表示素子とは、パッシブマトリックス有機電界発光表示素子であることを特徴とする、請求項１８記載の平板表示装置。
【請求項２５】
前記第２有機電界発光表示素子の発光領域は、第１有機電界発光表示素子の非発光領域に備えられることを特徴とする、請求項１８記載の平板表示装置。
【請求項２６】
前記第２有機電界発光表示素子の発光領域は少なくとも第１有機電界発光表示素子の非発光領域の一部に備えられることを特徴とする、請求項２５記載の平板表示装置。
【請求項２７】
前記第１有機電界発光表示素子の発光領域と第２有機電界発光表示素子の発光領域とは、互いに重畳されないように備えられることを特徴とする、請求項１８記載の平板表示装置。
【請求項２８】
前記第１有機電界発光表示素子と第２有機電界発光表示素子のいずれかは、フルカラー有機電界発光表示素子からなることを特徴とする、請求項１８記載の平板表示装置。
【請求項２９】
前記第１対向電極及び第２対向電極上に保護膜をさらに備えることを特徴とする、請求項１８記載の平板表示装置。
【請求項３０】
前記第１有機電界発光表示素子と第２有機電界発光表示素子とは、独立的に駆動されることを特徴とする、請求項１８記載の平板表示装置。
【発明の詳細な説明】
【技術分野】
【０００１】
本発明は、平板表示装置に関し、有機電界発光表示素子を各々備える第１基板と第２基板を互いに付着させることによって解像度及び開口率が向上した平板表示装置に関する。
【背景技術】
【０００２】
アクティブマトリックス平板表示装置に関し、より詳しくは、アクティブマトリックス平板表示装置に用いられる薄膜トランジスターを積層構造で形成して発光領域の開口率を高めたアクティブマトリックス有機電界発光表示装置に関する。
【０００３】
一般に、使用されている表示装置のうちの一つである陰極線管(CRT)は、ＴＶをはじめとして計測機器、情報端末機器などのモニターに主に用いられているが、ＣＲＴ自体の重さと大きさによって電子製品の小型化や軽量化の要求に積極的に対応出来ない。
【０００４】
このようなＣＲＴに換わるものとして、小型化や軽量化の長所を持っている平板表示装置が注目されている。前記平板表示装置にはＬＣＤ(liquid crystal display)、ＯＬＥＤ(organic light emitting display)などがある。
【０００５】
前記平板表示装置は、駆動方式によってパッシブマトリックス(Passive Matrix)方式とアクティブマトリックス(Active Matrix)方式に分けられる。
【０００６】
図１ａ及び図１ｂは、従来技術に係る前面発光有機電界発光表示素子の断面図である。
【０００７】
まず、赤、緑及び青の画素領域を持つ第１基板１００上に所定厚さの緩衝膜(不図示)を形成する。前記緩衝膜は、前記第１基板１００から流出される不純物が後続工程で形成される薄膜トランジスターに流入するのを防止するために形成される。
【０００８】
次に、前記緩衝膜上に多結晶シリコン層パターン(不図示)を形成し、前記多結晶シリコン層パターンの両側縁に不純物を注入して前記ソース領域及びドレーン領域を形成する。この際、前記ソース領域とドレーン領域間にはチャンネル領域が備えられる。
【０００９】
次に、全体表面上にゲート絶縁膜(不図示)を形成し、前記多結晶シリコン層パターンのチャンネル領域に対応するようにゲート電極を形成する。
【００１０】
次に、全体表面上に層間絶縁膜(不図示)を形成し、前記層間絶縁膜をエッチングして前記ソース/ドレーン領域を露出させるコンタクトホール(不図示）を形成する。次に、前記コンタクトホールを介して前記ソース/ドレーン領域に接続するソース/ドレーン電極(不図示)を形成する。
【００１１】
次に、全体表面上に保護膜(不図示)及び平坦化膜(不図示)を形成する。
【００１２】
その後、前記保護膜及び平坦化膜をエッチングして前記ドレーン電極を露出させるビアホール（via hole）を形成する。
【００１３】
次に、前記ビアホールを介して前記ドレーン電極に接続される画素電極(不図示)を形成する。この際、前記画素電極は反射電極であることが好ましい。
【００１４】
次に、全体表面上に前記画素電極の一部を露出させて発光領域を定義する画素定義膜パターンを形成する。
【００１５】
次に、全体表面上に少なくとも発光層を含む有機膜(不図示)及び対向電極(不図示)を形成する。
【００１６】
その後、前記対向電極上に透明保護膜(不図示)を形成する。
【００１７】
次に、前記第１基板１００に対応して第２基板２００を接着させて封止する。
【００１８】
図２は、前記のような方法で形成された有機電界発光表示素子のピクセル領域を示す写真であって、'Ａ'領域は発光領域を、'Ｂ'領域は非発光領域を表す。
【００１９】
前述のような従来技術に係る有機電界発光表示素子は、アクティブマトリックス有機電界発光表示素子であって、ピクセル領域に発光領域Ａと非発光領域Ｂが備えられ、前記スイッチング用ＴＦＴ及び駆動用ＴＦＴ、一つのキャパシターと発光素子からなる。すなわち、二つのＴＦＴと一つのキャパシターからなるが、素子が高集積化されるにつれてＴＦＴ及びキャパシターの大きさを減らすのに限界があるので、発光領域を減少させることによって開口率が低下してしまう問題点がある。
【発明の開示】
【発明が解決しようとする課題】
【００２０】
本発明の目的は、前記従来技術の問題点を解決するためのもので、本発明は、第１基板と第２基板に有機電界発光表示素子を各々形成し、前記第１基板と第２基板を互いに付着させて厚さを減少させた平板表示装置を提供することにその目的がある。
【００２１】
また、前記第１基板と第２基板を互いに付着させて同じ方向で発光させることによって開口率を増加させることができ、素子の寿命を向上させることができる平板表示装置を提供することにその目的がある。
【課題を解決するための手段】
【００２２】
前記目的を達成するための本発明に係る平板表示装置は、
第１基板上に備えられた第１画素電極、少なくとも発光層を含む第１有機膜及び第１対向電極からなる第１有機電界発光表示素子と、前記第１有機電界発光表示素子に対応して付着されて第２基板上に備えられた第２画素電極、少なくとも発光層を含む第２有機膜及び第２対向電極からなる第２有機電界発光表示素子からなり、
前記平板表示装置は、両面発光有機電界発光表示素子であり、
前記第１有機電界発光表示素子と第２有機電界発光表示素子とは、同じ方向で発光されることを特徴とする。
また、前記目的を達成するための本発明に係る平板表示装置は、
第１基板上に備えられた第１画素電極と、
前記第１画素電極上に備えられた少なくとも発光層を含む第１有機膜と、
前記第１有機膜上に備えられた第１対向電極からなる第１有機電界発光表示素子と、
前記第１有機電界発光表示素子の第１対向電極に所定距離離隔されて備えられた第２対向電極と、
前記第２対向電極上に備えられた少なくとも発光層を含む第２有機膜と、
前記第２有機膜上に備えられた第２画素電極と、
前記第２画素電極上に備えられ、前記第１基板に接着剤により付着される第２基板からなる第２有機電界発光表示素子と、を含むことを特徴とする。
【発明の効果】
【００２３】
本発明によれば、それぞれの有機電界発光素子が形成された二つの基板を付着することによって別途の封止工程無しで開口率が向上した超薄型平板表示装置を具現することができ、且つ互いに異なる用途で使用することによって発光層の寿命低下によるイメージスティッキングを防止できる利点がある。
【発明を実施するための最良の形態】
【００２４】
以下、添付の図面を参照して本発明の実施例を説明する。
【００２５】
図３は、本発明に係る有機電界発光表示素子を概略的に示す断面図である。
【００２６】
まず、図３を参照すれば、第１基板３００上に第１画素電極(不図示)、少なくとも発光層を含む第１有機膜(不図示)及び第１対向電極(不図示)からなる第１有機電界発光素子３１０を備える第１有機電界発光表示素子と、第２基板４００上に第２画素電極(不図示)、少なくとも発光層を含む第２有機膜(不図示)及び第２対向電極(不図示)からなる第２有機電界発光素子４１０を備える第２有機電界発光表示素子が接着剤５００により互いに付着されている。この際、前記第１対向電極及び第２対向電極上に保護膜(不図示)をさらに備えるようにしてもよい。
【００２７】
前記第１有機電界発光表示素子と第２有機電界発光表示素子とは、独立的に駆動できるので、必要に応じて個別的に駆動することができ、同時に駆動することもできる。
【００２８】
前記第１有機電界発光表示素子と第２有機電界発光表示素子とは、アクティブマトリックス有機電界発光表示素子またはパッシブマトリックス有機電界発光表示素子である。この際、前記第１有機電界発光表示素子と第２有機電界発光表示素子とは、前面発光有機電界発光表示素子である。
【００２９】
図４は、本発明の他の実施例に係る有機電界発光表示素子を概略的に示す断面図であって、図３の有機電界発光表示素子と同じ構造からなっている。但し、図３の有機電界発光表示素子は、両面発光有機電界発光表示素子であり、図４の有機電界発光表示素子は、一方面で発光される有機電界発光表示素子である。
【００３０】
図４を参照すれば、前記第１有機電界発光表示素子は、アクティブマトリックス有機電界発光表示素子であり、前記第２有機電界発光表示素子は、アクティブマトリックス有機電界発光表示素子である。この際、前記第１有機電界発光表示素子は、前面発光有機電界発光表示素子であり、前記第２有機電界発光表示素子は、両面発光有機電界発光表示素子である。
【００３１】
前記第１有機電界発光表示素子は、アクティブマトリックス有機電界発光表示素子であり、前記第２有機電界発光表示素子は、パッシブマトリックス有機電界発光表示素子である。この際、前記第１有機電界発光表示素子は、前面発光有機電界発光表示素子であり、前記第２有機電界発光表示素子は、両面発光または背面発光有機電界発光表示素子である。
【００３２】
また、前記第１有機電界発光表示素子は、パッシブマトリックス有機電界発光表示素子であり、前記第２有機電界発光表示素子は、アクティブマトリックス有機電界発光表示素子である。この際、前記第１有機電界発光表示素子は、前面発光有機電界発光表示素子であり、前記第２有機電界発光表示素子は、両面発光有機電界発光表示素子である。
【００３３】
前記第１有機電界発光表示素子は、パッシブマトリックス有機電界発光表示素子であり、前記第２有機電界発光表示素子は、パッシブマトリックス有機電界発光表示素子である。この際、前記第１有機電界発光表示素子は、前面発光有機電界発光表示素子であり、前記第２有機電界発光表示素子は、両面発光または背面発光有機電界発光表示素子である。
【００３４】
一方、前記第２有機電界発光表示素子は、第１有機電界発光表示素子の非発光領域に発光領域が備えられ、前記第１有機電界発光表示素子の発光領域と第２有機電界発光表示素子の発光領域は互いに重畳されないように備えられるようにする。また、前記第２有機電界発光表示素子の発光領域は、少なくとも前記第１有機電界発光表示素子の発光領域の一部に備えられるようにしてもよい。この場合、前記発光面側に位置する有機電界発光表示素子の画素電極及び対向電極は、透明電極で形成されるようにする。
【００３５】
前記第１有機電界発光表示素子と第２有機電界発光表示素子とは、独立的に駆動が可能であるため互いに異なる用途で使用することができ、例えば、前記第１有機電界発光表示素子が動映像用に使われる場合、前記第２有機電界発光表示素子は、動映像でない文字などを表示するのに使われる。この際、前記動映像用に使われる有機電界発光表示素子は、フルカラーを使用し、動映像でない文字などを表示する有機電界発光表示素子には比較的寿命が長い黄色(super  yellow)や赤色を使用してイメージスティッキング(image  sticking)を遅延させる。一方、前記動映像用に使われる有機電界発光表示素子は、フルカラーを使用し、動映像でない文字などを表示する有機電界発光表示素子にはシアン(cyan)、マゼンタ(magenta)及びイエロー(yellow)からなる補色を使用して多様な色相を表示することもできる。
【００３６】
図５は、図４の有機電界発光表示素子を詳細に示す断面図であって、図５を参照して本発明に係る有機電界発光表示素子の製造方法について詳細に説明する。図５は、図４に係る実施例において、第１有機電界発光表示素子及び第２有機電界発光表示素子がアクティブマトリックス有機電界発光表示素子であり、第１有機電界発光表示素子が前面発光有機電界発光表示素子であり、第２有機電界発光表示素子が背面発光有機電界発光表示素子である場合を示す。
【００３７】
第１基板３００上に緩衝膜３１２を形成する。前記緩衝膜３１２は、前記基板３００から流出される不純物が後続工程で形成される薄膜トランジスターに流入するのを防止するためにシリコン酸化膜、シリコン窒化膜、またはその積層構造で形成される。
【００３８】
次に、前記緩衝膜３１２上に多結晶シリコン層パターン３２０を形成する。
【００３９】
次に、全体表面上にゲート絶縁膜３３０を形成した後、前記多結晶シリコン層パターン３２０上にゲート電極３３２を形成する。
【００４０】
次に、前記ゲート電極３３２の両側多結晶シリコン層パターン３２０に不純物を注入して前記ソース領域３２２及びドレーン領域３２４を形成する。
【００４１】
全体表面上に層間絶縁膜３４０を形成し、前記層間絶縁膜３４０をエッチングして前記ソース/ドレーン領域３２２、３２４を露出させるコンタクトホール(不図示）を形成する。次に、前記コンタクトホールを介して前記ソース/ドレーン領域３２２、３２４に接続するソース/ドレーン電極３５０、３５２を形成する。
【００４２】
次に、全体表面上に保護膜３６０及び平坦化膜３７０を形成する。
【００４３】
その後、前記保護膜３６０及び平坦化膜３７０をエッチングして前記ドレーン電極３５２を露出させるビアホール(不図示)を形成する。
【００４４】
次に、前記ビアホールを介して前記ドレーン電極３５２に接続される画素電極３８０を形成する。この際、前記画素電極３８０は、反射率が高い金属物質と透明電極の積層構造からなる反射電極であることが好ましい。
【００４５】
次に、全体表面上に前記画素電極３８０の一部を露出させて発光領域を定義する画素定義膜パターン３８２を形成する。
【００４６】
次に、全体表面上に少なくとも発光層を含む有機膜３８４及び対向電極３９０を形成して第１有機電界発光表示素子を形成する。
【００４７】
その後、第２基板４００上に前記の方法で第２有機電界発光表示素子を形成する。この際、保護膜３６０の形成後、平坦化膜３７０を形成する工程は除外される。また、画素電極３８０は透明電極で形成され、対向電極３９０は反射電極で形成されることが好ましい。
【００４８】
次に、前記第１有機電界発光表示素子と第２有機電界発光表示素子を整列した後、接着剤５００を利用して第１有機電界発光表示素子と第２有機電界発光表示素子を付着させる。この際、前記第１有機電界発光表示素子と第２有機電界発光表示素子の整列時、前記第２有機電界発光表示素子の発光領域が前記第１有機電界発光表示素子の発光領域と重畳されないようにする。
【００４９】
図６は、本発明に係る有機電界発光表示素子のピクセル領域を示す平面図であって、アクティブマトリックス有機電界発光表示素子の発光領域Ｘと前記アクティブマトリックス有機電界発光表示素子の非発光領域に形成されたパッシブマトリックス有機電界発光表示素子の発光領域Ｙを表す。上記のように、二つの有機電界発光表示素子を付着して同じ方向で発光させることによって前記平板表示装置の開口率を７０％以上向上させることができる。
【００５０】
以上、添付図面を参照しながら本発明の好適な実施形態について説明したが、本発明は係る例に限定されない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５１】
【図１Ａ】従来技術に係る前面発光有機電界発光表示素子を概略的に示す断面図である。
【図１Ｂ】従来技術に係る前面発光有機電界発光表示素子を概略的に示す断面図である。
【図２】従来技術に係る有機電界発光表示素子のピクセル(pixel)領域を示す写真である。
【図３】本発明の実施例に係る有機電界発光表示素子を概略的に示す断面図である。
【図４】本発明の他の実施例に係る有機電界発光表示素子を概略的に示す断面図である。
【図５】図４の有機電界発光表示素子を詳細に示す断面図である。
【図６】本発明に係る有機電界発光表示素子のピクセル領域を示す平面図である。
【符号の説明】
【００５２】
３００ 第１基板
３１０ 第１有機電界発光素子
４００ 第２基板
４１０ 第２有機電界発光素子
５００ 接着剤
【図１Ａ】
2006310262.tif 000003
【図１Ｂ】
2006310262.tif 000004
【図３】
2006310262.tif 000005
【図４】
2006310262.tif 000006
【図５】
2006310262.tif 000007
【図２】
2006310262.tif 000008
【図６】
2006310262.tif 000009